(57)【要約】      （修正有）【課題】フラッシュ洗浄時に弁体のシール部材の近傍またはシール部材上に異物が滞留するような不都合を解消し、フラッシュ洗浄のために弁体を安定して動作させることのできるフラッシュゲートを提供する。【解決手段】下端部が水路の底部近傍でゲート部に枢着され、水路を閉塞する起立止水姿勢と水路を開放する転倒姿勢との間で水平軸心周りに揺動自在な弁体２と、水路の水位がフラッシュ実行水位に上昇するまで起立止水姿勢を維持するとともに、フラッシュ実行水位に達すると転倒姿勢への揺動を許容する姿勢切替機構と、起立止水姿勢から転倒姿勢への姿勢変更に伴って蓄積された弾性エネルギーにより生じる復帰力で、転倒姿勢から起立止水姿勢に前記弁体を自律復帰させる姿勢復帰機構を備え、弁体が転倒姿勢へ揺動する時に流下する水流をゲート部または弁体の幅方向中央部に導くガイド機構９が設けられている。【選択図】図６
2008095282.tif 000002
【特許請求の範囲】
【請求項１】
下端部が水路の底部または底部近傍でゲート部に枢着され、水路を閉塞する起立止水姿勢と水路を開放する転倒姿勢との間で水平軸心周りに揺動自在な弁体と、水路の水位がフラッシュ実行水位に上昇するまで起立止水姿勢を維持するとともに、フラッシュ実行水位に達すると前記弁体を転倒姿勢へ揺動させるフラッシュゲートであって、
前記弁体が転倒姿勢へ揺動する時に流下する水流を前記ゲート部または前記弁体の幅方向中央部に導く水流ガイド機構が設けられているフラッシュゲート。
【請求項２】
前記水流ガイド機構は、基端側が前記ゲート部に固定され、先端側が水の流下方向に向かって水路の幅方向の中央側に傾斜するように形成された案内羽根で構成されている請求項１記載のフラッシュゲート。
【請求項３】
前記水流ガイド機構は、前記弁体の上流側面に設置され、水流を前記ゲート部の幅方向中央部に導く案内面を備えた仕切り板で構成されている請求項１記載のフラッシュゲート。
【請求項４】
前記水流ガイド機構は、前記弁体の上流側面に設置され、水流を前記弁体の幅方向中央部に導く段差面を備えた凸状部で構成されている請求項１記載のフラッシュゲート。
【請求項５】
前記水流ガイド機構は、上流側端が前記ゲート部に固定されるとともに下流側端が前記弁体の上流側面の幅方向端部より中央側に固定され、前記弁体の転倒姿勢で展開し、起立止水姿勢で折り畳まれる案内シートで構成されている請求項１記載のフラッシュゲート。
【請求項６】
フラッシュ実行水位に達すると、前記弁体の転倒姿勢への揺動を許容する姿勢切替機構と、起立止水姿勢から転倒姿勢への姿勢変更に伴って蓄積された弾性エネルギーにより生じる復帰力で、転倒姿勢から起立止水姿勢に前記弁体を自律復帰させる姿勢復帰機構を備えている請求項１から５の何れかに記載のフラッシュゲート。
【請求項７】
前記弁体に、前記転倒姿勢において上流側の水を一時蓄積して転倒姿勢を維持する水溜部が設けられるとともに、前記弁体の上縁部に前記水溜部に貯留された水を下流側に流下させる排水口が設けられている請求項６記載のフラッシュゲート。
【発明の詳細な説明】
【技術分野】
【０００１】
本発明は、河川、下水配管、用水路等を定期的にフラッシュ洗浄するフラッシュゲートに関する。
【背景技術】
【０００２】
従来より、河川、下水配管、用水路等を定期的にフラッシュ洗浄するフラッシュゲートが知られている。例えば、特許文献１には、人力や電動機などの動力を必要とする巻上装置を使用せずに、起立止水姿勢にある弁体を自律的に転倒させてフラッシュ洗浄を行ない、洗浄後に弁体を起立止水姿勢に自律的に復帰させるフラッシュゲートが提案されている。
【０００３】
当該フラッシュゲートは、図８に示すように、起立止水姿勢にある弁体２とゲート部７の接当部からの漏水を防止するために、弁体２の左右縁部及び下縁部にゲート部７と水密に接触するシール部材２ａ，２ｂ，２ｃを設けている。
【０００４】
【特許文献１】特開２００５−１０５６４１号公報
【発明の開示】
【発明が解決しようとする課題】
【０００５】
上述した従来のフラッシュゲートは、弁体の転倒時に上流側から流下する大量の水の流れにより水路に堆積している固形異物を下流に流下させて洗浄するものであるが、洗浄時に上流側の水位が低くなり流量が低下すると、水に同伴される布切れ等の固形異物や紙等の浮遊異物が十分に流されず、弁体に滞留してしまう場合があった。
【０００６】
このような異物が弁体のシール部材の近傍またはシール部材上に滞留すると、起立止水姿勢に復帰したときに、ゲート部とシール部材との接当部に異物が挟まれ、隙間が形成されて水が漏れるため、上流側に十分な水量を貯水できなくなるという問題があった。
【０００７】
本発明の目的は、上述の問題に鑑み、フラッシュ洗浄時に弁体のシール部材の近傍またはシール部材上に異物が滞留するような不都合を解消し、フラッシュ洗浄のために弁体を安定して動作させることのできるフラッシュゲートを提供する点にある。
【課題を解決するための手段】
【０００８】
上述の目的を達成するため、本発明によるフラッシュゲートの第一の特徴構成は、特許請求の範囲の書類の請求項１に記載した通り、下端部が水路の底部または底部近傍でゲート部に枢着され、水路を閉塞する起立止水姿勢と水路を開放する転倒姿勢との間で水平軸心周りに揺動自在な弁体と、水路の水位がフラッシュ実行水位に上昇するまで起立止水姿勢を維持するとともに、フラッシュ実行水位に達すると前記弁体を転倒姿勢へ揺動させるフラッシュゲートであって、前記弁体が転倒姿勢へ揺動する時に流下する水流を前記ゲート部または前記弁体の幅方向中央部に導く水流ガイド機構が設けられている点にある。
【０００９】
上述の構成によれば、弁体が転倒姿勢へ揺動するフラッシュ洗浄時に、上流側に貯水された水が水流ガイド機構によりゲート部または弁体の幅方向中央部に流れるように導かれるので、洗浄に伴い水位が低くなり流量が低下したとき、水に同伴される布切れ等の固形異物や紙等の浮遊異物が弁体のシール部材の近傍またはシール部材上に流れて、そこで異物が滞留するような事態を回避することができるようになる。従って、弁体が起立止水姿勢に復帰したときにはゲート部とシール部材との接当部に異物が挟まれることがないので漏水することなく、確実に上流側で貯水されるようになる。
【００１０】
同第二の特徴構成は、同請求項２に記載した通り、上述の第一特徴構成に加えて、前記水流ガイド機構は、基端側が前記ゲート部に固定され、先端側が水の流下方向に向かって水路の幅方向の中央側に傾斜するように形成された案内羽根で構成されている点にある。
【００１１】
上述の構成によれば、先端側が水路の幅方向の中央側に傾斜するように形成された案内羽根に沿って、水流が転倒した弁体の幅方向中央部に流れるようになるので、洗浄に伴い水位が低くなり流量が低下したとき、水に同伴される布切れ等の固形異物や紙等の浮遊異物が弁体のシール部材の近傍またはシール部材上に流れて、そこで異物が滞留するような事態を回避することができるようになる。
【００１２】
同第三の特徴構成は、同請求項３に記載した通り、上述の第一の特徴構成に加えて、前記水流ガイド機構は、前記弁体の上流側面に設置され、水流を前記ゲート部の幅方向中央部に導く案内面を備えた仕切り板で構成されている点にある。
【００１３】
上述の構成によれば、仕切り板の案内面により水流がゲート部の幅方向中央部に導かれるので、洗浄に伴い水位が低くなり流量が低下したとき、水に同伴される布切れ等の固形異物や紙等の浮遊異物が弁体のシール部材の近傍またはシール部材上に流れて、そこで異物が滞留するような事態を回避することができるようになる。
【００１４】
同第四の特徴構成は、同請求項４に記載した通り、上述の第一の特徴構成に加えて、前記水流ガイド機構は、前記弁体の上流側面に設置され、水流を前記弁体の幅方向中央部に導く段差面を備えた凸状部で構成されている点にある。
【００１５】
この場合も、凸状部の段差面により水流がゲート部の幅方向中央部に導かれ、洗浄に伴い水位が低くなり流量が低下したとき、水に同伴される布切れ等の固形異物や紙等の浮遊異物が弁体のシール部材の近傍またはシール部材上に流れて、そこで異物が滞留するような事態を回避することができるようになる。
【００１６】
同第五の特徴構成は、同請求項５に記載した通り、上述の第一の特徴構成に加えて、前記水流ガイド機構は、上流側端が前記ゲート部に固定されるとともに下流側端が前記弁体の上流側面の幅方向端部より中央側に固定され、前記弁体の転倒姿勢で展開し、起立止水姿勢で折り畳まれる案内シートで構成されている点にある。
【００１７】
上述の構成によれば、弁体が転倒姿勢にあるときに展開される案内シートに沿って、水流が転倒した弁体の幅方向中央部に流れるように導かれる。
【００１８】
同第六の特徴構成は、同請求項６に記載した通り、上述の第一から第五の何れかの特徴構成に加えて、フラッシュ実行水位に達すると、前記弁体の転倒姿勢への揺動を許容する姿勢切替機構と、起立止水姿勢から転倒姿勢への姿勢変更に伴って蓄積された弾性エネルギーにより生じる復帰力で、転倒姿勢から起立止水姿勢に前記弁体を自律復帰させる姿勢復帰機構を備えている点にある。
【００１９】
上述の構成によれば、電動機などの動力を必要とする巻上装置を使用せずに、起立止水姿勢にある弁体を自律的に転倒させてフラッシュ洗浄を行ない、洗浄後に弁体を起立止水姿勢に自律的に復帰させることができる。
【００２０】
同第七の特徴構成は、同請求項７に記載した通り、上述の第六の特徴構成に加えて、前記弁体に、前記転倒姿勢において上流側の水を一時蓄積して転倒姿勢を維持する水溜部が設けられるとともに、前記弁体の上縁部に前記水溜部に貯留された水を下流側に流下させる排水口が設けられている点にある。
【００２１】
上述の構成によれば、水溜部に貯えられた水の重量により姿勢復帰機構による弾性エネルギーによる復帰力に抗してフラッシュ洗浄の際に弁体を確実に所定の時間転倒姿勢に維持することができるようになるのである。
【発明の効果】
【００２２】
以上説明した通り、本発明によれば、フラッシュ洗浄時に弁体のシール部材の近傍またはシール部材上に異物が滞留するような不都合を解消し、フラッシュ洗浄のために弁体を安定して動作させることのできるフラッシュゲートを提供することができるようになった。
【発明を実施するための最良の形態】
【００２３】
以下に本発明によるフラッシュゲートの実施の形態を図面に基づいて説明する。図１から図４に示すように、フラッシュゲート１は、下端部に設けた軸部９が水路８の平坦な底部または底部近傍でゲート部（弁胴）７を構成する左右一対の門柱７Ａの間に枢着され、水路８を閉塞し水路８の上流側に水を貯留する起立止水姿勢（図４（ａ）参照）と、水路８を開放して下流側に通水する転倒姿勢（図４（ｂ）参照）との間で軸心Ｐ周りに揺動自在な弁体２と、水路８の水位がフラッシュ実行水位ＨＨＷＬに上昇するまで起立止水姿勢を維持するとともに、フラッシュ実行水位ＨＨＷＬに達すると転倒姿勢への揺動を許容する姿勢切替機構３と、転倒姿勢にある弁体２を起立止水姿勢に自律復帰させる姿勢復帰機構４を備えて構成される。ここに、ゲート部７はアルミやＳＵＳ等の金属で構成し、弁体２は、アルミやＦＲＰ等の軽量部材で構成することが可能である。
【００２４】
図２に示すように、弁体２は下側両端部に切欠部２７が形成され、起立止水姿勢において下端縁部２３に水路８の底部と面一に配置されたゲート部７の基部７Ｃと水密に接触するシール部材２ｃを取り付けるとともに、図１に示すように、水路８の上流側面２２の幅方向両端部が門柱７Ａに配されたシール面７ａにシール部材２ａを介して水密に接当し、前記切欠部２７の端部が門柱７Ａの下部から中央方向に突出形成された膨出部７Ｂに配されたシール面７ｂにシール部材２ｂを介して水密に接当することで、上流側から下流側への水の流出を防止するように構成されている。
【００２５】
図１に示すように、前記ゲート部７の上流側左方には上下が開放されたフロート収容部７Ｂが区画形成され、その内部に上流側水位に連動して上下移動するフロート３０が収容され、以って、水路８の上流側に貯留される水の水位に連動してフロート３０が上昇し、フラッシュ実行水位が検出できるように構成され、また、フロート収容部７Ｂの壁面によってフラッシュ洗浄の実行時等の水流によってフロート３０に異常な付勢力が作用して破損するような事態が回避されるように構成されている。
【００２６】
前記姿勢切替機構３は、図１から図３に示すように、弁体２が離接する左右のゲート部７（７Ａ）に設置された係合部３２と、弁体２に設置され係合部３２に係入して起立止水姿勢を維持する係止片３３とを備えてなる保持部３１による保持状態を解除する機構で、フロート３０と、フロート３０のフラッシュ実行水位ＨＨＷＬへの上昇により係合部３２から係止片３３を引退させ転倒姿勢への揺動を許容するフロート連動機構３４等で構成される。
【００２７】
前記保持部３１は、さらに、弁体２に取り付けられたリンク機構３１ａと、リンク機構３１ａの両端部に連結された連結棒３１ｂ，３１ｃとからなる保持付勢機構を備え、連結棒３１ｂ，３１ｃの先端部に係止片３３が取り付けられるとともに、係止片３３が弁体２の側方に突出するように、バネ機構３１ｄを介して前記リンク機構３１ａを開き方向に付勢している。前記リンク機構３１ａは、中央部が弁体２に揺動自在に固定された第一リンク３１ｅと、第一リンク３１ｅの両端部と前記連結棒３１ｂ，３１ｃとの間にターンバックル３１ｇを介して夫々連結された一対の第二リンク３１ｆとで構成され、前記第一リンク３１ｅが略水平姿勢となるように、前記バネ機構３１ｄが前記第一リンク３１ｅと前記弁体２との間に取り付けられ、以って、前記係止片３３が側方に突出するように構成されている。
【００２８】
フラッシュ洗浄の後に姿勢復帰機構４によって弁体２が転倒姿勢から起立止水姿勢に姿勢復帰する際に、係止片３３に形成されたテーパー面３３ａが係合部３２に当接し、その反力でリンク機構３１ａがバネ機構３１ｄによる付勢力に抗して閉じ方向に作動し、係合部３２を通過した後に再びリンク機構３１ａが開き方向に付勢されることで係合部３２と係止片３３が係合するように構成されている。
【００２９】
一対の第二リンク３１ｆの両端に設けたターンバックル３１ｇがタイミング調整機構として作用し、何れかのターンバックル３１ｇを調整することによって、フラッシュ実行水位となったときに、左右双方の保持部３１が同時に解除されるように調整可能に構成されている。
【００３０】
前記フロート連動機構３４は、図３（ａ），（ｂ），（ｃ）に示すように、フロート３０に一端が固定された第一アーム３０ａと、第一アーム３０ａの揺動軸３０ｂに固定されて連動して揺動する第二アーム３０ｃと、第二アーム３０ｃの揺動に連動する「く」の字形アーム３４ａと、「く」の字形アーム３４ａの揺動により連結棒３１ｂを押し操作してリンク機構３１ａを閉じ方向に付勢するＬ字状部材３４ｃとで構成されている。ここに、Ｌ字状部材３４ｃは連結棒３１ｂの端部に固定されている。
【００３１】
つまり、水路上流側の貯留水位が上昇してフロート３０が上方に移動すると、揺動軸３０ｂ周りに第一アーム３０ａが下方に揺動し、それに連動して下方に揺動する第二アーム３０ｃに取り付けられている「く」の字形アーム３４ａが揺動軸３４ｂ周りに揺動することによって、Ｌ字状部材３４ｃが「く」の字形アーム３４ａの先端部で押圧され、以って、係合部３２と係止片３３の係合状態が解除されるのである。このとき、パンタグラフ機構３１を介して他方の保持部３１も解除される。つまり、保持付勢機構は同時にフロート連動機構３４の作動に伴ない他方の保持部３１を解除する解除機構として機能するように構成されている。
【００３２】
尚、前記フロート連動機構３４を、第一アーム３０ａと第二アーム３０ｃを揺動軸３０ｂに固定して連動するように構成するのは、フロート３０を揺動軸３０ｂの長さだけ幅方向中央部に位置するように構成することで、フラッシュゲートの施工時にフロート３０の設置位置に起因する水路幅の拡幅工事を不要にして施工の簡素化を図るためである。
【００３３】
前記姿勢復帰機構４は、図２に示すように、弁体２の軸部９左右の枢着部に配置されたスプリングケース４１と、スプリングケース４１内に捻り固定された左右一対のつる巻スプリング４０と、一対のラチェット機構４２で構成され、つる巻スプリング４０の一端が弁体２の軸部９に固定され、他端がラチェット機構４２に固定され、以って、起立止水姿勢から転倒姿勢への姿勢変更に伴ってつる巻スプリング４０に蓄積された弾性エネルギーによる復帰力を弁体２の下端部近傍に作用させることにより、弁体２を揺動軸心Ｐ周りに揺動させて転倒姿勢から起立止水姿勢に自律復帰するように構成されている。尚、ラチェット機構４２の係止爪４２ａをラチェットギア４２ｂから離間させて、前記つる巻スプリング４０の捻りを解消することによって、何らかの不測の事態に対応して前記弁体２の転倒姿勢を維持することができるように構成されている。
【００３４】
図５（ａ），（ｂ），（ｃ）に示すように、姿勢切替機構３による弁体２の転倒姿勢への傾動に伴い水路８の底部と弁体２の下端縁部２３との間に通水可能な開口Ｈが形成され、当該開口Ｈから上流側に堆積している土砂が流下するように構成されている。
【００３５】
そして、図１、図４及び図５に示すように、ゲート部７の基部７Ｃには、転倒姿勢への揺動時に弁体２の下端縁部２３と同一または僅かに突出する高さの堰板６が弁体２の上流側に位置するように設けられており、前記堰板６の上縁部に略水平な通水ガイド面６ａが弁体２側に張り出すように形成されているので、上流側に貯水された水が下流側に流下するフラッシュ洗浄時に、堰板６から溢れた水が前記開口Ｈよりも高い弁体２の上流側面２２に流れるように流線（図５中、二点差線で示す）が形成され、水位が高いフラッシュ洗浄の初期には水とともに流下する小動物の死骸等の塊状の異物や長尺の布切れ等であっても、大きな流速により堰板６を乗り越えて転倒姿勢にある弁体２の上流側面上を流下し、前記開口Ｈに流れ込まないように構成され、水位が低くなり流速が低下したときには塊状の異物等が堰板６により阻止されるように構成されている。
【００３６】
従って、水路８の底部と弁体の下端縁部２３との間に形成される開口に小動物の死骸等の塊状の異物や長尺の布切れ等が流入して挟み込まれることが無いので、フラッシュ洗浄後の姿勢復帰機構による復帰力により弁体を支障なく起立止水姿勢に復帰させることができる。一方、水位が低くなり流速が低下したときには、砂利等の小径の固形異物は前記堰板６と弁体２の下端縁部２３との間の開口Ｈと、水路８の底部と弁体２の隙間ｄを流れる一点鎖線で示す流線に沿って流下するため、土砂が堆積するような不都合は発生しないのである。
【００３７】
尚、前記堰板６が、通水ガイド面６ａが形成されない鉛直壁面のみで構成される場合であっても一定の効果が生じるものである。
【００３８】
さらに、図５（ｂ）に示すように、前記堰板６の上縁部から上流側に傾斜する傾斜面６ｂを構成するように設置する場合には、フラッシュ洗浄時に堰板を乗り越える流線の角度を小さくすることができるので、水位が低くなるフラッシュ洗浄の後期であってもある程度の流速を確保して小径の固形異を効率的に流下させることができる。
【００３９】
同様に、図５（ｃ）に示すように、前記堰板６の上流側底部にコンクリート等を打設して前記堰板６の上縁部に到る傾斜面６ｂを形成することによっても、同様の効果を得ることができる。
【００４０】
図４に示すように、弁体２のうち、水路８の上流側面２２には転倒姿勢において上流側の水を一時蓄積して転倒姿勢を維持する水溜部５０が設けられ、この水溜部５０は、上端縁部５０ａと左右に設けた側端縁部５０ｂとからなり、水溜部５０の上流側面と下端面は水路に開放されている。弁体２の上端側縁部５０ａに水溜部５０に貯留された水を下流側に流下させるＶ字形状の排水口５１が形成されている。
【００４１】
水路８の上流側水位がフラッシュ実行水位に達し、起立止水姿勢から転倒姿勢への移行時に水溜部５０に上流側に貯留された水の一部が溜まり、排水口５１から少量ずつ流出する。転倒姿勢にある弁体２には姿勢復帰機構４による起立止水姿勢への自立復帰力が作用するが、水溜部５０への貯留水の重量によりフラッシュ洗浄の終了までは弁体２が確実に転倒姿勢に維持されるように構成されている。
【００４２】
さらに、当該フラッシュゲートの設置環境においてフラッシュ洗浄時に確実に所定の時間転倒姿勢を維持できるように、排水口５１の開口面積を可変に調整する調整機構が設けられている。具体的には、排水口５１部位の部材が水溜部５０の上端側縁部５０ａにボルト等の締付け具により着脱自在に取り付けられ、開口面積の異なる種々の排水口５１に取り替えることができるように構成することができ、また、角度または間隙の異なる複数のＶ字形状のスリットが形成された板状体を、縁部５０ａにスライド移動可能に取り付け、縁部５０ａの中央部の開口に位置するスリットの形状をスライド移動によって可変に設定できるように構成するものであってもよい。尚、開口部の一や形状、数量はこれに限定されるものではない。
【００４３】
前記排水口５１部位の部材は、銅や銀等の抗菌性を示す金属で構成されるか、或いは抗菌剤で表面処理されており、フラッシュゲートが下水配管に設置されるようなときに、抗菌処理された排水口部位に生物膜等が付着して閉塞するような事態を回避するように構成されている。
【００４４】
尚、水溜部５０への貯留水の重量によりフラッシュ洗浄の終了までは弁体２が確実に転倒姿勢に維持されるものであれば、排水口５１の形状はＶ字形状に限るものではなく平行なスリットであってもよい。
【００４５】
図６及び図７に示すように、上述したフラッシュゲートには、さらに、弁体２の転倒姿勢への揺動時に流下する水流をゲート部７（７Ａ）の幅方向中央部に導く複数の水流ガイド機構９が設けられ、姿勢切替機構３により弁体２が転倒姿勢へ揺動するフラッシュ洗浄時に、上流側に貯水された水を水流ガイド機構９により左右の門柱（７Ａ）の幅方向中央部または弁体２の中央部に流れるように導き（図６及び図７中、太い破線で流線を示す）、洗浄に伴い水位が低くなり流量が低下したときであっても、水に同伴される布切れ等の固形異物や紙等の浮遊異物が弁体のシール部材２ａ，２ｂ，２ｃの近傍または上部に流れて異物が留まり、弁体２が起立止水姿勢に復帰したときに漏水が発生するような事態を回避するように構成されている。
【００４６】
以下に詳述する。前記水流ガイド機構９の一つは、図１及び図６に示すように、基端側が前記ゲート部の左右門柱７Ａに固定され、先端側が流下方向に傾斜するように曲げ形成された一対の案内羽根９０で構成され、当該案内羽根９０に沿って水流がゲート部の幅方向中央部に流れるように整流され、以って、水に同伴される布切れ等の固形異物や紙等の浮遊異物が弁体のシール部材２ａ，２ｂ，２ｃの近傍または上部に流れて留まるような不都合を回避するように構成されている。案内羽根９０は、特に上流側水位が低くなったときに整流作用が機能するように、少なくともフラッシュ実行水位ＨＨＷＬの１／３の高さ程度より低い位置に配置されると効果的である。
【００４７】
また、前記水流ガイド機構９は、弁体２の上流側面２２に設置され、水流をゲート部７（７Ａ）の幅方向中央部に導く案内面を備えた一対の仕切り板９１により構成されており、水位が低下して流量が少なくなったときであっても、仕切り板９１の案内面により水流が弁体２の幅方向中央部に導かれるように構成されている。
【００４８】
さらに、前記水流ガイド機構９は、弁体２の上流側面２２に設置され、水流を弁体２の幅方向中央部に導く段差面９ａ，９ｂを備えた凸状部９２，９３により構成されており、水位が低下して流量が少なくなったときであっても、凸状部９２，９３の段差面により水流が弁体２の幅方向中央部に導かれるように構成されている。
【００４９】
水流の多いフラッシュ洗浄の初期には、水に同伴される布切れ等の固形異物や紙等の浮遊異物が凸状部９２，９３の段差面９ａ，９ｂを乗越えて流下しても、その際の多量の水流により弁体２の下流側に流され、シール部材２ａ，２ｂ，２ｃの近傍またはシール部材上に滞留することが回避され、水流の少ないフラッシュ洗浄の後期には、水に同伴される布切れ等の固形異物や紙等の浮遊異物が凸状部９２，９３の段差面９ａ，９ｂにより弁体２の幅方向中央部に導かれるのである。
【００５０】
さらにまた、前記水流ガイド機構９は、図７に示すように、上流側が左右の門柱７Ａ（７）に固定されるとともに下流側が弁体２の上流側面の幅方法端部より中央側に固定され、弁体２の転倒姿勢で展開し、起立止水姿勢で折り畳まれる案内シート９４で構成するものであってもよい。この場合には、弁体２が転倒姿勢にあるときに展開される案内シート９４に沿って、水流がゲート部７または弁体２の幅方向中央部に流れるように導かれるのである。
【００５１】
上述した水流ガイド機構９０，９１，９２，９３，９４はその何れか一つで構成されるものであってもよいし、複数組み合わせて構成されるものであってもよい。
【００５２】
上述したフラッシュゲートはフラッシュ実行水位に達すると、前記弁体の転倒姿勢への揺動を許容する姿勢切替機構と、起立止水姿勢から転倒姿勢への姿勢変更に伴って蓄積された弾性エネルギーにより生じる復帰力で、転倒姿勢から起立止水姿勢に前記弁体を自律復帰させる姿勢復帰機構を備えた例で説明したが、これに限定されるものではなく、巻き上げ機構などの動力を用いてゲートを開閉するものであってもよい。
【００５３】
上述した実施形態では、保持付勢機構をリンク機構３１ａを備えて構成するものを説明したが、これは例示に過ぎず、公知のパンタグラフ機構等の機構を用いて適宜構成してもよい。
【００５４】
上述した何れの実施形態も本発明の一例であり、ゲートを構成する材料、大きさ、構造、姿勢復帰機構、姿勢切替機構、解除機構、堰板、水流ガイド機構等の具体的構造については本発明による作用効果が奏される範囲で適宜変更することが可能であり、該記載の具体的構成により本発明の範囲が限定されるものではない。
【図面の簡単な説明】
【００５５】
【図１】フラッシュゲートの概略平面図
【図２】フラッシュゲートの下流側から見た概略正面図
【図３】フロート連動機構の要部説明図
【図４】（ａ）は起立止水姿勢にある弁体、（ｂ）は転倒姿勢にある弁体の姿勢説明図
【図５】転倒姿勢にある弁体に対して、堰板の作用を示す説明図
【図６】水流ガイド機構の説明図
【図７】水流ガイド機構の説明図
【図８】弁体縁部にゲート部７と水密に接触するシール部材２ａ，２ｂ，２ｃを設けた従来のフラッシュゲートの説明図
【符号の説明】
【００５６】
１：フラッシュゲート
２：弁体
３：姿勢切替機構
４：姿勢復帰機構
６：堰板
６ａ：通水ガイド面
９（９０，９１，９２，９３，９４）：水流ガイド機構
５０：水溜部
５１：排水口
【図１】
2008095282.tif 000003
【図２】
2008095282.tif 000004
【図３】
2008095282.tif 000005
【図４】
2008095282.tif 000006
【図５】
2008095282.tif 000007
【図６】
2008095282.tif 000008
【図７】
2008095282.tif 000009
【図８】
2008095282.tif 000010